(57)【要約】【課題】廃棄に際して分別の手間をかけることなく、再生資材として利用することができるとともに、使用勝手に優れた書類ケースの構造を開示する。【解決手段】中央折り線を介して表側面と裏側面の紙製ケース本体を構成し、少なくとも表側面の一部には窓を設けて透明または半透明の紙製シートを貼付した書類ケースである。本体、窓のシートとも紙製であるので、従来のように窓のシートを分別することなく再生資材として利用することができ、廃棄に当っても手間をかけることない。なお、紙製シートは例えばグラシンペーパーを採用する。また、中央折り線に連続する一方辺の裏側面には折り代を設け、この折り代は表側面の表に貼付し、残り２辺を書類挿入のために開放したので、折り代が書類挿入の邪魔にならないし、裏側面を全面印刷域とすることができる。【選択図】　　　　　図１
2004017357.tif 000002
【特許請求の範囲】
【請求項１】
中央折り線を介して表側面と裏側面の紙製ケース本体を構成し、少なくとも表側面の一部には窓を設けて透明または半透明の紙製シートを貼付したことを特徴とする書類ケース。
【請求項２】
紙製シートはグラシンペーパーである請求項１記載の書類ケース。
【請求項３】
中央折り線に連続する一方辺の裏側面には折り代を設け、この折り代は表側面の表に貼付し、残り２辺を書類挿入のために開放した請求項１または２記載の書類ケース。
【発明の詳細な説明】
【０００１】
【発明の属する技術分野】
本発明は、簡易な形状の書類ケースに関するものである。
【０００２】
【発明が解決しようとする課題】
従来から、図３に示すような書類ケースは公知である。この書類ケースは、矩形のプラスチックシートを折り重ねて表裏シート１１・１２とし、一方の短辺１３をヒートシールして２辺を開放した構成である。そして、複数枚の書類をアイテムごとに挿入して、適宜持ち運んだり、引き出しに収納して管理するものである。
【０００３】
ところで、近年、廃棄物の処理が問題になっており、家庭でも焼却廃棄に適した廃棄物と適しない廃棄物を分別して処理を行うことが要求されている。特にプラスチックの多くは焼却に不向きであることが多いので、複数の自治体がゴミ処理の問題を抱えている。また、資源の再利用の要請も強くなっており、再生できる廃棄物であれば極力これを効果的に回収するシステムも課題となっている。
【０００４】
そこで、最近はこの種の書類ケースを含めて、従来はプラスチック素材を使用したものが紙製品に代替しつつある。紙製品の場合には、本体はある程度の強度を要求されるので、クラフト紙などを２つ折りにして利用するが、本体表裏が不透明のクラフト紙であるので、内容物を確認するために窓が設けられることが多い。図４はこの種の構成を示したもので、基本的な構成は図３のプラスチックシートを採用したものと変わらないものの、表裏の紙１４・１５が不透明なので、少なくとも表側の紙１４の一部に窓１６を設け、透明プラスチックの薄肉シート１７を貼付したものである。しかしながら、この構成では廃棄物処理の際にはやはり紙製の本体部分から薄肉シート１７を剥がして分別しなければならず、再生工程に移行する場合でも非常に手間がかかっている。
【０００５】
本発明は、上述した従来から存在する書類ケースをさらに改良したもので、廃棄に際して分別の手間をかけることなく、再生資材として利用することができるとともに、使用勝手に優れた書類ケースの構造を開示することを目的とするものである。
【０００６】
【課題を解決するための手段】
上記目的を達成するために、本発明では中央折り線を介して表側面と裏側面の紙製ケース本体を構成し、少なくとも表側面の一部には窓を設けて透明または半透明の紙製シートを貼付するという技術的手段を用いた。ケース本体は紙製であるから、再生資材として活用することができる。また、窓に貼付した紙製シートも再生資材として活用することができるので、それぞれの素材を分別することなく廃棄処理に供することが可能である。また、窓に設ける紙製シートとしてグラシンペーパーを採用することは、容易に半透明な材料を得ると同時に、再生資材としても適した素材選択となる。
【０００７】
さらに、書類ケース本体の中央折り線に連続する一方辺の裏側面には折り代を設け、この折り代は表側面の表に貼付し、残り２辺を書類挿入のために開放するという手段を採用している。この手段においては、折り代が書類挿入の邪魔にならないので、書類の出し入れを軽快にする。また、折り代は窓が存在する表側面に折り返されているので、裏側面は全面が平坦である。したがって、家庭用のプリンタなどによっても全面印刷を可能とする。
【０００８】
【発明の実施の形態】
以下、本発明の好ましい形態を、添付した図面に従って説明する。図１は本発明の書類ケースを示した斜視図であって、書類ケース１は１枚の紙を中央折り線２を介して折り曲げて表側面３と裏側面４を形成している。表側面３には一部に窓５が設けられ、この窓５には半透明の紙製シート６が貼付されている。書類ケース本体を構成する紙は、例えばクラフト紙や厚紙、あるいは普通紙のいずれを選択しても良いが、複数枚の書類などを挿入した状態で保管することができる強度が要求される。また、再生紙を使用した場合には、さらに再生効率がよい。紙製シート６は具体的には工業用雑種紙の一種であるグラシンペーパーを採用している。このグラシンペーパーはパルプ１００％に薬剤を含浸させて半透明としたものであり、再生紙の資材として利用可能である。ただし、紙製シート６の素材はグラシンペーパーに限定する必要はなく、書類ケース本体から分別することなく再生資材として利用することができる素材であることと、内容物としての書類を確認することができるように透明または半透明であるという条件を満たすものであれば、その他の紙に代替することもある。
【０００９】
上述した構成とすることによって、この書類ケースが長期使用によって破れて廃棄する場合でも、透明または半透明部分の紙製シート６をわざわざ分別することなく再生資材として活用することができ、手間をかけることなく天然資材の再利用に供することが可能となる。
【００１０】
次に、図中、７は裏側面４から延長された折り代であって、これを表側面３の表に折り返して糊付けしている。したがって、この書類ケースでは中央折り線２によって形成される辺と、折り代７が設けられた辺が閉じられた辺であり、残りの２辺８・９が開放された辺を構成する。そして、この開放された辺８・９を開いた状態で書類の出し入れを行う。書類はその表側をケース表側面３に向けるように収納すれば、窓５を通して内容物を確認することができ、取り出す必要はない。
【００１１】
ところで、この種のケースの場合には折り代７を表側面３と裏側面４の間に挟んだ状態で糊付けすることがあるが、この構成であれば図２に示すように書類を挿入した場合には書類の端辺が折り代７に当接して引っ掛かるので、使用勝手が悪い。しかしながら、本発明では折り代７は書類の挿入に障害となることはないので、優れている。また、折り代７を裏側面４から延長し、表側面３に対して糊付けする構成としているので、裏側面４全面を印刷域とすることができる。すなわち、家庭用のローラプリンタなどでは一対のローラで紙を挟みながら推進させる構成が一般的であるが、印刷面に折り代が存在する場合には折り代の厚みで印刷が飛ぶことがある。しかしながら、本実施形態の構成であれば裏側面は全体が平坦であるから、どの部分にでも印刷することができる。
【００１２】
本実施形態では、窓は書類ケースの表側面のみに設けるようにしたが、この説明は裏側面に窓を設けることを否定するものではない。裏側面にも窓を設けた場合には、表裏何れからでも内容物を確認することができ、より便利である。ただし、これは適宜選択される事項である。
【００１３】
【発明の効果】
本発明では、書類ケースの本体および窓に設けられる透明または半透明のシートの何れをも紙製の素材としたので、シートを分別することなく再生資材として利用することができ、廃棄に当っても手間をかけることなく利用価値の高い廃棄物とすることができるようになった。また、グラシンペーパーを窓に設けるようにしたので、半透明の窓から収納した書類の内容を取り出すことなく確認することができ、便利である。さらにまた、折り代を裏側面から延長し、これを表側面に折り曲げて表側で糊付けするようにしたので、書類の出し入れの邪魔にならず、かつ裏側面全面を平坦とすることによって、高品位の全面印刷をすることが可能となった。
【図面の簡単な説明】
【図１】本発明の一実施形態を示す斜視図
【図２】従来の折り代の構成を示す断面図
【図３】従来例の書類ケースを示す斜視図
【図４】同、従来例を示す斜視図
【符号の説明】
１　書類ケース
２　中央折り線
３　表側面
４　裏側面
５　窓
６　紙製シート
７　折り代
【図１】
2004017357.tif 000003
【図２】
2004017357.tif 000004
【図３】
2004017357.tif 000005
【図４】
2004017357.tif 000006